(57)【要約】    【課題】      常閉式無音ハブラチェット構造を提供する。    【解決手段】  端面に複数の制御ブロックが突出し、上記らの制御ブロックに、ともに、凹むように連動溝が形成される歯ディスク座と、ラチェット座とラチェット及び弾性部材が備えられ、ラチェット座の外壁面に、複数のラチェット溝が形成され、ラチェット溝内に、ラチェットが設置され、上記ラチェットに設置された連動柱が、ともに、摺動的に連動溝に設置され、また、上記ラチェット座の外壁面とラチェットの外表面とに、ビアホールを囲むように、リング状に引き締めリング溝が設置され、また、引き締めリング溝に弾性部材が嵌設されるラチェット部材と、位置付け溝が形成され、位置付け溝とラチェット座の位置付けブロックとが噛合って同期になる止めリングと、内壁に、ベベルリングが係止され、上記ベベルリングが、リング状にラチェットの外端に設置されるハブケーシングと、が含有される。【選択図】       図２
2011042197.tif 000002
【特許請求の範囲】
【請求項１】
貫通した軸孔があり、軸受に合わせて、軸孔に、シャフトが枢着され、シャフトに、止めスリーブが嵌設され、上記歯ディスク座の端面に、軸方向にリング状に複数の制御ブロックが設置され、上記制御ブロックの中央に、凹むように連動溝が形成され、上記連動溝のシャフト端が、外へ傾斜することにより、内側端と外側端が形成され、上記歯ディスク座の制御ブロック端に、更に、囲むようにシャフトが設置されて摺動部が形成される歯ディスク座と、
ラチェット座とラチェットがあり、上記ラチェット座に、ビアホールが形成され、ビアホールに、歯ディスク座の摺動部が嵌設され、ラチェット座の外壁面に、内へ傾斜するように、複数のラチェット溝が形成され、ラチェット溝の相当の深さにラチェット孔が形成され、上記ラチェット溝内に、ラチェットが位置し、ラチェットが、ともに、スピンドル部を形成して、ラチェット孔に枢着され、ラチェットの一端に、連動柱が突出し、上記連動柱が、ともに、摺動的に、歯ディスク座の連動溝に設置され、上記ラチェット座の軸方向の一側に、位置付けブロックが設置されるラチェット部材と、
穿孔を利用して、一面がラチェット座の一側に貼り付くように、シャフトに嵌設され、位置付け溝が形成され、位置付け溝とラチェット座の位置付けブロックとが、噛合って同期に作動し、穿孔に、内縁が緊密に止めスリーブに貼り付くダンプ部材が設置される止めリングと、
軸方向に収納空間が形成され、内壁に、ベベルリングが係止され、内蔵した軸受で、シャフトに嵌設され、収納空間に、上記止めリングとラチェット部材及び歯ディスク座の制御ブロックが収納され、上記ベベルリングが、リング状に、ラチェットの外端に設置されるハブケーシングと、
が含有される
ことを特徴とする常閉式無音ハブラチェット構造。
【請求項２】
上記歯ディスク座は、リング状表面に、軸方向に、複数の歯ディスク溝が形成され、上記歯ディスク溝に、複数の歯ディスクが嵌設され、歯ディスク座と歯ディスクとが、同期に作動できることを特徴とする請求項１に記載の常閉式無音ハブラチェット構造。
【請求項３】
上記歯ディスク座は、歯ディスクと一体成型し、単一歯ディスクになることを特徴とする請求項１に記載の常閉式無音ハブラチェット構造。
【請求項４】
上記歯ディスク座は、制御ブロックの間に、チェック凹溝が形成され、摺動的に歯ディスク座の摺動部に設置されたラチェット座から、歯ディスク座端に向ってチェックブロックが突出し、上記チェックブロックが、チェック凹溝内で摺動でき、歯ディスク座とラチェット座とが、同期になることを特徴とする請求項１に記載の常閉式無音ハブラチェット構造。
【請求項５】
上記ラチェット座の外壁面とラチェットの外表面とに、ビアホールを囲むように、リング状に、引き締めリング溝が形成され、引き締めリング溝内に、弾性部材が嵌設されて、ラチェットが、ラチェット溝に向って引き締められることを特徴とする請求項１に記載の常閉式無音ハブラチェット構造。
【発明の詳細な説明】
【技術分野】
【０００１】
本発明は、自転車のハブ構造に関し、特に、ラチェットが、常態下、閉鎖状になり、ハブケーシングの前後回転に伴ない、上記ラチェット部材が連動されず、自転車を押して進む際に、その踏板が、転動しないように構成された常閉式無音ハブラチェット構造に関する。
【背景技術】
【０００２】
従来の自転車のハブラチェット構造は、図１０と図１１に示すように、ラチェットディスク５０とハブ６０及び心軸７０が備えられたものである。ラチェットディスク５０は、管状体で、円周面に、歯ディスク５１とラチェット座５２が設置され、上記ラチェット座５２の円周面に、複数のラチェット孔５２１が形成されたものである。
【０００３】
また、それに対応して複数のラチェット５３が設置され、ラチェット５３とラチェット孔５２１との間に、弾性部材５４が設置されてある。ハブ６０は、管状体で、その一側に、ラチェットディスク室６１が形成されたものである。ラチェットディスク室６１に、ベベル６１１が形成されてある。心軸７０は、円柱体で、前後端に、雄ねじが形成され、その中段の適当な位置に、止めリング７１が設置されてある。上記ラチェットディスク５０とハブ６０及び心軸７０の間に、複数の軸受７２や位置付け部材７３が設置され、軸受７２で、ハブ６０に固定され、上記ラチェット座５２が、ハブ６０のラチェットディスク室６１に収納される。
【０００４】
上記ハブラチェット構造が作動する場合においては、上記ラチェット５３が、弾性部材５４によって、外側へ付勢され、常態下、オープン状態に維持して、ハブ６０のベベル６１１に当接し、ラチェットディスク５０が正転動する時、上記ラチェット５３が、上記ベベル６１１に当接して、上記ハブ６０が、ラチェット５３を介して、ラチェットディスク５０によって連動される。
【０００５】
また、ラチェット５３が逆転動する時、上記ラチェット５３が、ベベル６１１と弾性部材５４によって連動されて、動揺運動を行い、即ち、ハブ６０が、ラチェット５３によって連動されない。上記ハブ６０が正転動する時、上記ラチェット５３が、ハブ６０によって連動されず、また、上記ハブ６０が逆転動する時、上記ラチェット５３が、逆方向にベベル６１１によって駆動され、ラチェットディスク５０が逆転動する。
【０００６】
上記の如き従来のハブラチェット構造には、次に示すような改善すべき欠点がある。
１．ラチェット５３が逆転動する時、上記ラチェット５３が、ベベル６１１と弾性部材５４により連動されて、動揺運動を行う。即ち、ハブ６０が、ラチェット５３によって連動されず、上記動揺作動により、摩擦や騒音が発生するおそれがある。
【０００７】
２．上記ハブ６０が正転動する時、上記ラチェット５３が、ハブ６０によって連動されることがないが、逆に、上記ハブ６０が逆転動する時、上記ラチェット５３が、逆方向に、ベベル６１１によって駆動され、ラチェットディスク５０が、逆転動し、上記踏板が、ラチェットディスク５０によって連動される。踏板が、自転車をバックさせる時、転動するため、ユーザーが傷付くおそれがある。
【０００８】
本発明者は、上記欠点を解消するため鋭意、慎重に研究を重ね、また、学理を活用して、検討を加えた結果、下記の如く、有効に上記欠点を解消できる点に着目し、かかる知見に基づいて設計が合理的である本発明の完成に到達した。
【発明の開示】
【発明が解決しようとする課題】
【０００９】
本発明の目的は、歯ディスク座端に、制御ブロックが突出、制御ブロックの連動溝により、ラチェットの連動柱が連動され、また、上記ラチェットが、ラチェット溝内において、制御ブロックと止めリングによって制限され、また、ダンプ部材の抵抗により、オープンや閉鎖の作動が行われ、常態下、閉鎖状態に維持でき、ハブケーシングの前後回転ともに、上記ラチェット部材が連動されず、自転車を押して移動する時、その踏板が、ともに、転動しない効果が得られ、また、無音で自転車を移動でき、実用性に優れた常閉式無音ハブラチェット構造を提供する点にある。
【課題を解決するための手段】
【００１０】
かくして、請求項１に係る発明によれば、貫通した軸孔があり、軸受に合わせて、軸孔に、シャフトが枢着され、シャフトに、止めスリーブが嵌設され、上記歯ディスク座の端面に、軸方向にリング状に複数の制御ブロックが設置され、上記制御ブロックの中央に、凹むように連動溝が形成され、上記連動溝のシャフト端が、外へ傾斜することにより、内側端と外側端が形成され、上記歯ディスク座の制御ブロック端に、更に、囲むようにシャフトが設置されて摺動部が形成される歯ディスク座と、
ラチェット座とラチェットがあり、上記ラチェット座に、ビアホールが形成され、ビアホールに、歯ディスク座の摺動部が嵌設され、ラチェット座の外壁面に、内へ傾斜するように、複数のラチェット溝が形成され、ラチェット溝の相対の深さにラチェット孔が形成され、上記ラチェット溝内に、ラチェットが位置し、ラチェットが、ともに、スピンドル部を形成して、ラチェット孔に枢着され、ラチェットの一端に、連動柱が突出し、上記連動柱が、ともに、摺動的に、歯ディスク座の連動溝に設置され、上記ラチェット座の軸方向の一側に、位置付けブロックが設置されるラチェット部材と、
穿孔を利用して、一面がラチェット座の一側に貼り付くように、シャフトに嵌設され、位置付け溝が形成され、位置付け溝とラチェット座の位置付けブロックとが、噛合って同期に作動し、穿孔に、内縁が緊密に止めスリーブに貼り付くダンプ部材が設置される止めリングと、
軸方向に収納空間が形成され、内壁に、ベベルリングが係止され、内蔵した軸受で、シャフトに嵌設され、収納空間に、上記止めリングとラチェット部材及び歯ディスク座の制御ブロックが収納され、上記ベベルリングが、リング状に、ラチェットの外端に設置されるハブケーシングと、
が含有される
ことを特徴とする常閉式無音ハブラチェット構造が提供される。
【００１１】
請求項２に係る発明によれば、上記歯ディスク座は、リング状表面に、軸方向に、複数の歯ディスク溝が形成され、上記らの歯ディスク溝に、複数の歯ディスクが嵌設され、歯ディスク座と歯ディスクとが、同期に作動できることを特徴とする請求項１に記載の常閉式無音ハブラチェット構造が提供される。
【００１２】
請求項３に係る発明によれば、上記歯ディスク座は、歯ディスクと一体成型し、単一歯ディスクになることを特徴とする請求項１に記載の常閉式無音ハブラチェット構造が提供される。
【００１３】
請求項４に係る発明によれば、上記歯ディスク座は、制御ブロックの間に、チェック凹溝が形成され、摺動的に歯ディスク座の摺動部に設置されたラチェット座から、歯ディスク座端に向ってチェックブロックが突出し、上記チェックブロックが、チェック凹溝内で摺動でき、歯ディスク座とラチェット座とが、同期になることを特徴とする請求項１に記載の常閉式無音ハブラチェット構造が提供される。
【００１４】
請求項５に係る発明によれば、上記ラチェット座の外壁面とラチェットの外表面とに、ビアホールを囲むように、リング状に、引き締めリング溝が形成され、引き締めリング溝内に、弾性部材が嵌設されて、ラチェットが、ラチェット溝に向って引き締められることを特徴とする請求項１に記載の常閉式無音ハブラチェット構造が提供される。
【００１５】
本発明に係る常閉式無音ハブラチェット構造は、上記の請求項の記載からも明らかなように、歯ディスクと、ラチェット部材と、止めリングと、ハブケーシングとから構成される。
【００１６】
歯ディスク座には、貫通した軸孔があり、軸受に合わせて、軸孔に、シャフトが枢着され、シャフトに、止めスリーブが嵌設され、上記歯ディスク座の端面に、軸方向にリング状に、複数の制御ブロックが設置され、その中央に、凹むように、連動溝が形成される。また、上記連動溝のシャフト端が、外へ傾斜することにより、内側端と外側端が形成される。また、制御ブロック端に、更に、囲むように、シャフトが設置されて摺動部が形成される。
【００１７】
ラチェット部材には、ラチェット座とラチェットがあり、ラチェット座に、ビアホールが形成される。ビアホールに、歯ディスク座の摺動部が嵌設され、ラチェット座の外壁面に、内へ傾斜するように、複数のラチェット溝が形成される。また、ラチェット溝の相当の深さにラチェット孔が形成され、上記ラチェット溝内に、ラチェットが位置し、ラチェットが、ともに、スピンドル部を形成して、ラチェット孔に枢着される。また、ラチェットの一端に、連動柱が突出し、上記連動柱が、ともに、摺動的に、歯ディスク座の連動溝に設置される。
【００１８】
また、止めリングは、ラチェット座の軸方向の一側に、位置付けブロックが設置される。穿孔を利用して、一面がラチェット座の一側に貼り付くように、シャフトに嵌設され、また、位置付け溝が形成され、位置付け溝とラチェット座の位置付けブロックとが、噛合って同期に作動し、また、穿孔に、内縁が緊密に止めスリーブに貼り付くダンプ部材が設置される。
【００１９】
ハブケーシングは、軸方向に収納空間が形成され、内壁に、ベベルリングが係止され、内蔵した軸受で、シャフトに嵌設され、収納空間に、上記止めリングとラチェット部材及び歯ディスク座の制御ブロックが収納され、また、上記ベベルリングが、リング状に、ラチェットの外端に設置される。
【発明を実施するための最良の形態】
【００２０】
以下、図面を参照しながら、本発明の特徴や技術内容について、詳しく説明する。もっとも、それらの図面等は、参考や説明のためであり、本発明は、それらによって限定されるものではない。
【００２１】
図１乃至図３を参照しながら、本発明に係る常閉式無音ハブラチェット構造について説明する。
【００２２】
常閉式無音ハブラチェット構造は、歯ディスク座１０とラチェット部材２０、止めリング３０及びハブケーシング４０から構成されてなる。
【００２３】
歯ディスク座１０には、貫通した軸孔１１があり、軸受１０１に合わせて、軸孔１１に、シャフト１２が枢着される。シャフト１２に、止めスリーブ１２１が嵌設され、上記歯ディスク座１０の端面に、軸方向にリング状に複数の制御ブロック１３が設置され、上記制御ブロック１３の中央に、凹むように連動溝１４が形成される。
【００２４】
また、上記連動溝１４のシャフト１２端が、外へ傾斜することにより、内側端１４１と外側端１４２が形成される。また、上記歯ディスク座１０の制御ブロック１３端に、更に、囲むようにシャフト１２が設置されて摺動部１５が形成される。
【００２５】
ラチェット部材２０には、ラチェット座２１とラチェット２２があり、上記ラチェット座２１に、ビアホール２１１が形成され、ビアホール２１１に、歯ディスク座１０の摺動部１５が嵌設される。上記ラチェット座２１の外壁面に、内側へ傾斜するように、複数のラチェット溝２１２が形成される。また、ラチェット溝２１２の相当の深さにラチェット孔２１３が形成され、上記ラチェット溝２１３内に、ラチェット２２が位置し、ラチェット２２が、ともに、スピンドル部２２１を形成して、ラチェット孔２１３に枢着される。
【００２６】
また、ラチェット２２の一端に、連動柱２２２が突出し、上記連動柱２２２が、ともに、摺動的に、歯ディスク座１０の連動溝１４に設置される。また、上記歯ディスク座１０は、制御ブロック１３の間に、チェック凹溝１３１が形成される。
【００２７】
また、歯ディスク座１０の摺動部１５に摺動的に設置されたラチェット座２１から、歯ディスク座１０端に向ってチェックブロック２１４が突出し、上記チェックブロック２１４が、チェック凹溝１３１内で摺動でき、歯ディスク座１０とラチェット座２１とが、同期に作動できる。
【００２８】
また、上記ラチェット座２１の外壁面とラチェット２２の外表面とに、ビアホール２１１を囲むように、リング状に、引き締めリング溝２１５、２２３が形成される。
【００２９】
また、引き締めリング溝２１５、２２３内に、弾性部材２３が嵌設され、ラチェット２２が、ラチェット溝２１２に向って引き締められ、上記ラチェット座２１の軸方向の一側に、位置付けブロック２１６が突出する。
【００３０】
また、上記弾性部材２３が、欠け口２３１を形成したスプリングコイルであり、上記欠け口２３１の一端縁に、内折湾曲した固定部２３２が形成される。
【００３１】
また、固定部２３２が、引き締めリング溝２１５内から、ラチェット座２１の固定孔２１７に貫設され、これにより、上記弾性部材２３が固定される。止めリング３０は、穿孔３１を利用して、一面がラチェット座２１の一側に貼り付くように、シャフト１２に嵌設され、また、位置付け溝３２が形成され、位置付け溝３２とラチェット座２１の位置付けブロック２１６とが、噛合って同期に作動する。
【００３２】
また、穿孔３１に、ダンプ部材３３が設置される。ダンプ部材３３が、ぜんまい状で、その内縁が、緊密に止めスリーブ１２１に貼り付き、また、ダンプ部材３３の弾力で、穿孔３１の内壁に付勢し、これにより、止めリング３０の転動抵抗が形成される。
【００３３】
ハブケーシング４０は、軸方向に収納空間４１が形成され、内壁に、ベベルリング４２が係止される。上記ハブケーシング４０は、内蔵した軸受４０１で、シャフト１２に嵌設される。
【００３４】
また、上記止めリング３０とラチェット部材２０及び歯ディスク座１０の制御ブロック１３が、収納空間４１に収納される。
【００３５】
また、上記ベベルリング４２が、リング状に、ラチェット２２の外端に設置される。上記の構造によれば、上記ラチェット２２が、ラチェット溝２１２において、制御ブロック１３と止めリング３０によって位置付けられ、また、ダンプ部材３３の抵抗で、オープンや閉鎖の作動を行なうことにより、常態下、閉鎖状態に維持でき、無音連動の効果が得られる。
【００３６】
本発明によれば、図２と図３のように、その歯ディスク座１０は、軸孔１１に、複数の軸受１０１が設置され、軸受１０１の軸方向に、シャフト１２が貫設されるため、歯ディスク座１０が、シャフト１２上で転動できる。ラチェット部材２０には、ラチェット座２１とラチェット２２があり、上記ラチェット２２が、ともに、ラチェット座２１のラチェット溝２１２中に設置され、また、スピンドル部２２１で、ラチェット孔２１３に合わせて、動揺的に枢着される。
【００３７】
また、ラチェット座２１とラチェット２２によって形成された引き締めリング溝２１５、２２３内に、弾性部材２３が嵌合され、弾性部材２３により、ラチェット２２が、ラチェット溝２１２内に引き締められる。
【００３８】
また、上記ラチェット部材２０が、ラチェット座２１のビアホール２１１により、シャフト１２上に嵌設されて、摺動的に歯ディスク座１０の摺動部１５に設置される。
【００３９】
そして、ラチェット座２１のラチェット溝２１２の数が、歯ディスク座１０の制御ブロック１３の数と同一であり、ラチェット溝２１２内に、ともに、ラチェット２２が枢着され、上記ラチェット２２の連動柱２２２が、ともに、摺動的に制御ブロック１３の連動溝１４中に設置される。上記制御ブロック１３とラチェット溝２１２及びラチェット２２が、三組で、リング状に設置される。止めリング３０は、ラチェット部材２０端が、シャフト１２上に嵌設され、位置付け溝３２とラチェット座２１の位置付けブロック２１６で、係合する。これにより、止めリング３０とラチェット部材２０の作動が同期になる。
【００４０】
また、止めリング３０の穿孔３１内に、ダンプ部材３３が設置される。また、シャフト１２に、止めスリーブ１２１が嵌入され、ダンプ部材３３が、止めリング３０と止めスリーブ１２１との間に挟まれることにより止めスリーブ１２１端に転動抵抗が生成する。
【００４１】
また、上記止めスリーブ１２１の両端が、それぞれ、歯ディスク座１０端の軸受１０１とハブケーシング４０端の軸受４０１に当接し、止めスリーブ１２１により、歯ディスク座１０とハブケーシング４０との離間が形成されて位置付けられ、最後に、ハブケーシング４０の収納空間４１に、制御ブロック１３とラチェット部材２０及び止めリング３０が収納される。
【００４２】
また、ハブケーシング４０端の軸受４０１が、シャフト１２上に貫設されるため、シャフト１２上で自在に転動でき、また、上記ハブケーシング４０を結合した後、そのベベルリング４２が、ラチェット２２の周りに位置するようになり、上記により、組み立てが終了される。  
【００４３】
本発明によれば、図２乃至図５に示すように、ハブラチェット構造が、自転車の後輪に設置され、上記歯ディスク座１０により、歯ディスク（図未表示）が結合され、上記歯ディスクが、自転車の踏板端に連動されるチェーンによって連動され、シャフト１２が、フレームに結合される。
【００４４】
また、ハブケーシング４０が、上記自転車の後輪に結合され、自転車を使用していない時、上記ラチェット２２が、弾性部材２３の引き締めにより、ラチェット溝２１２内に位置する。また、止めリング３０が、ラチェット座２１の外側に設置されたため、ラチェット２２の左右変位を防止できる。また、ラチェット２２の連動柱２２２が、連動溝１４の内側端１４１に位置し、ラチェット２２の収縮状態により、ラチェット２２とハブケーシング４０とベベルリング４２が、互いに当接しないので、自転車を乗って踏板を踏む時、その歯ディスク座１０が、チェーンによって連動され、上記歯ディスク座１０が転動すると同時に、そのラチェット部材２０が、止めリング３０にダンプ部材３３の抵抗を受けるため、容易に転動できない状態になる。
【００４５】
これにより、歯ディスク座１０とラチェット部材２０の回転ずれが発生し、この時、歯ディスク座１０の連動溝１４が、軸方向に転動して、ラチェット２２の連動柱２２２を内側端１４１から外側端１４２へ変位させ、上記ラチェット２２が、スピンドル部２２１を軸心として、ラチェット溝２１２の外端へ動揺する。
【００４６】
これにより、歯ディスク座１０の連動溝１４により、ラチェット２２の連動柱２２２が連動し、そのため、歯ディスク座１０とラチェット部材２０とが、連動状態になり、同時に、ラチェット２２が、ラチェット溝２１２の外へ動揺する時、そのラチェット２２が、周囲のベベルリング４２に当接し、ベベルリング４２により、ハブケーシング４０が連動されて転動することができる。
【００４７】
即ち、自転車の後輪が、連動されて転動し、また、踏板を、逆転動させる時、図６と図７で示すように、上記歯ディスク座１０が、逆方向に転動し、上記歯ディスク座１０は、制御ブロック１３處の連動溝１４においても、逆方向に上記ラチェット２２の連動柱２２２が連動され、連動柱２２２が、外側端１４２から内側端１４１へ摺動する。
【００４８】
即ち、ラチェット２２が、ラチェット溝２１２に押し込まれ、これにより、ラチェット２２とハブケーシング４０端のベベルリング４２とが、当接しない状態となる。
【００４９】
これにより、ラチェット２２とベベルリング４２とが連続的に衝突することにより発生した騒音が解消され、また、衝突による構造上の故障を防止でき、そして、後輪端によってハブケーシング４０が連動されて転動する場合、上記ラチェット２２が、ベベルリング４２によって駆動されて、止めリング３０のダンプ部材３３端に発生した抵抗に合わせて、ラチェット２２が、安定的にラチェット溝２１２に閉鎖される。
【００５０】
即ち、ラチェット２２とベベルリング４２とが常開状態に維持される。そのため、ハブケーシング４０の前後回転でも、上記ラチェット部材２０が連動されず、即ち、自転車を押して進む時、その踏板が、転動しない効果が得られ、また、これにより、無音の効果が得られて、実用性も向上することが観察できる。
【００５１】
図８と図９のように、実用上、歯ディスク座１０は、リング状表面に、軸方向に、複数の歯ディスク溝１６が形成され、上記歯ディスク溝１６に、複数の歯ディスク（図未表示）が嵌設され、歯ディスク座１０と歯ディスクとが、同期になり、複数の歯ディスクを有する状態になる。また、上記歯ディスク座１０が、歯ディスク１７と一体成型で、単一の歯ディスク１７状態になる。
【００５２】
以上の説明から本発明は、より進歩的かつより実用的であることは明らかであり、法に従って特許権の取得を求める。
【００５３】
以上は、本発明のより良い実施例であり、本発明は、それによって限定されるものではなく、本発明に係わる特許請求の範囲や明細書の内容に基づいて行った等価の変更や修正は、全てが、本発明の特許請求の範囲内に含まれることは明らかである。
【図面の簡単な説明】
【００５４】
【図１】本発明の実施の形態による常閉式無音ハブラチェット構造の立体組立て斜視図である。
【図２】本発明の実施の形態による常閉式無音ハブラチェット構造の立体分解図である。
【図３】本発明の実施の形態による常閉式無音ハブラチェット構造の側面局部断面図である。
【図４】本発明の実施の形態による常閉式無音ハブラチェット構造の歯ディスク座が正転動する状態の立体概念図である。
【図５】本発明の実施の形態による図３に示す常閉式無音ハブラチェット構造のＡ−Ａ断面の正転動作動図である。
【図６】本発明の実施の形態による常閉式無音ハブラチェット構造の歯ディスク座が逆転動する状態の立体概念図である。
【図７】本発明の実施の形態による図３に示す常閉式無音ハブラチェット構造のＡ−Ａ断面の逆転動作動図である。
【図８】本発明の実施の形態による常閉式無音ハブラチェット構造の歯ディスク座の立体概念図である。
【図９】本発明の他の実施の形態による歯ディスク座の立体概念図である。
【図１０】従来のハブラチェット構造の立体分解図である。
【図１１】従来のハブラチェット構造の断面概念図である。
【符号の説明】
【００５５】
本発明
１０    歯ディスク座
１０１  軸受
１１    軸孔
１２    シャフト
１２１  止めスリーブ
１３    制御ブロック
１３１  チェック凹溝
１４    連動溝
１４１  内側端
１４２  外側端
１５    摺動部
１６    歯ディスク溝
１７    歯ディスク
２０    ラチェット部材
２１    ラチェット座
２１１  ビアホール
２１２  ラチェット溝
２１３  ラチェット孔
２１４  チェックブロック
２１５、２２３  引き締めリング溝
２１６  位置付けブロック
２１７  固定孔
２２    ラチェット
２２１  スピンドル部
２２２  連動柱
２３    弾性部材
２３１  欠け口
２３２  固定部
３０    止めリング
３１    穿孔
３２    位置付け溝
３３    ダンプ部材
４０    ハブケーシング
４０１  軸受
４１    収納空間
４２    ベベルリング
従来
５０    ラチェットディスク
５１    歯ディスク
５２    ラチェット座
５２１  ラチェット孔
５３    ラチェット
５４    弾性部材
６０    ハブ
６１    ラチェットディスク室
６１１  ベベル
７０    心軸
７１    止めリング
７２    軸受
７３    位置付け部材
【図１】
2011042197.tif 000003
【図２】
2011042197.tif 000004
【図３】
2011042197.tif 000005
【図４】
2011042197.tif 000006
【図５】
2011042197.tif 000007
【図６】
2011042197.tif 000008
【図７】
2011042197.tif 000009
【図８】
2011042197.tif 000010
【図９】
2011042197.tif 000011
【図１０】
2011042197.tif 000012
【図１１】
2011042197.tif 000013